(57)【特許請求の範囲】
【請求項１】
電子表示システムの表示面を消去するための消去アセンブリであって、
前記表示面は、その上にパターンを含み、
前記消去アセンブリは、
本体アセンブリと、
前記本体アセンブリと通信する第１の消去パッドと、
前記本体アセンブリと通信する第２の消去パッドと、
前記本体アセンブリに搭載される検出装置とを備え、
前記検出装置は、前記第１の消去パッドおよび前記第２の消去パッドのどちらが現在使用中であるかを検出するように適合されるとともに、どちらの消去パッドが使用中であるか否かにかかわらず、前記表示面に対する前記消去アセンブリの位置を検出するようにさらに適合される、消去アセンブリ。
【請求項２】
前記検出装置は、前記表示面を観察するためのカメラを含み、
前記カメラは、前記第１の消去パッドが使用中の場合に前記表示面を観察するように構成されるとともに、前記第２の消去パッドが使用中の場合に前記表示面を観察するようにさらに構成される、請求項１に記載の消去アセンブリ。
【請求項３】
前記カメラは、前記表示面の二次元座標をエンコードするドットパターンを観察するように適合される、請求項２に記載の消去アセンブリ。
【請求項４】
前記カメラによって捕捉された前記ドットパターンの１つまたはより多くの画像に基づいて、前記表示面の座標系における前記消去アセンブリの位置を決定するように適合された内部処理ユニットをさらに備える、請求項３に記載の消去アセンブリ。
【請求項５】
前記第１の消去パッドが、前記表示面に対して予め定められた角度を超えて傾けられているときに、前記第１の消去パッドが前記表示面に接触することから保護するように適合された第１の保護部をさらに備える、請求項１に記載の消去アセンブリ。
【請求項６】
前記第２の消去パッドは、前記本体アセンブリから分離可能であり、
前記本体アセンブリは、前記第２の消去パッドを受容し、かつ取り外し可能に固定するように構成される、請求項１に記載の消去アセンブリ。
【請求項７】
前記表示面の水平軸および鉛直軸についての、前記消去アセンブリの回転を検出するための傾斜検出システムをさらに備える、請求項１に記載の消去アセンブリ。
【請求項８】
前記表示面の座標系における前記消去アセンブリの回転を検出するための方向検出システムをさらに備える、請求項１に記載の消去アセンブリ。
【請求項９】
前記消去アセンブリと前記表示面との間の距離を検出するための距離検出システムをさらに備える、請求項１に記載の消去アセンブリ。
【請求項１０】
前記第２の消去パッドは、前記第１の消去パッドに対して非平行である、請求項１に記載の消去アセンブリ。
【請求項１１】
前記本体アセンブリ上または前記本体アセンブリ内に通信装置をさらに備え、
前記通信装置は、外部の場所へ、位置指示信号を送信するように構成され、
前記位置指示信号の内容は、前記表示面に対する前記本体アセンブリの検出された位置に依存する、請求項１に記載の消去アセンブリ。
【請求項１２】
ホワイトボード面を有する電子ホワイトボードと、
前記電子ホワイトボードと相互作用可能な消去アセンブリとを備え、
前記消去アセンブリは、
本体アセンブリと、
前記本体アセンブリと通信する第１の消去パッドと、
前記本体アセンブリと通信し、前記第１の消去パッドに非平行である第２の消去パッドと、
前記本体アセンブリに搭載される内部カメラとを含み、
前記内部カメラは、前記第１の消去パッドおよび前記第２の消去パッドのどちらが現在使用中であるかの指標を検出するように適合されるとともに、どちらの消去パッドが使用中であるか否かにかかわらず、前記ホワイトボード面に対する前記消去アセンブリの位置の指標を検出するようにさらに適合される、電子ホワイトボードシステム。
【請求項１３】
前記ホワイトボード面は、前記ホワイトボード面の二次元座標をエンコードするドットパターンを含む、請求項１２に記載の電子ホワイトボードシステム。
【請求項１４】
前記内部カメラは、前記ホワイトボード面の前記ドットパターンを観察するように構成される、請求項１３に記載の電子ホワイトボードシステム。
【請求項１５】
前記消去アセンブリの内部処理ユニットをさらに備え、
前記内部処理ユニットは、どちらの消去パッドが現在使用中であるかにかかわらず、前記ホワイトボード面の前記ドットパターンに基づいて、前記ホワイトボード面の座標系における前記消去アセンブリの位置を検出するように適合される、請求項１４に記載の電子ホワイトボードシステム。
【請求項１６】
前記消去アセンブリの前記内部処理ユニットは、前記ホワイトボード面の前記ドットパターンに基づいて、前記消去アセンブリのロール、チルト、およびヨーの少なくとも１つを検出するように適合される、請求項１５に記載の電子ホワイトボードシステム。
【請求項１７】
前記消去アセンブリは、前記ホワイトボード面に対する、前記消去アセンブリの傾斜を検出するように適合された傾斜検出システムをさらに含む、請求項１２に記載の電子ホワイトボードシステム。
【請求項１８】
電子表示システムの表示面を消去するための消去アセンブリであって、
本体アセンブリを備え、
前記本体アセンブリは、
第１の消去領域と、
前記第１の消去領域に結合された第２の消去領域を含み、
前記消去アセンブリは、
前記第１の消去領域に取り付けられた第１の消去パッドと、
前記第１の消去領域に取り付けられた第２の消去パッドとをさらに備え、
前記第２の消去パッドは、前記第１の消去パッドが前記表示面に平行でかつ対向しているときに、前記表示面に対して鋭角に設定され、
前記消去アセンブリは、
前記第１の消去パッドが使用中の場合に前記表示面を観察し、前記第２の消去パッドが使用中の場合に前記表示面を観察し、前記本体アセンブリの位置の指標を検出するように構成されるカメラをさらに備える、消去アセンブリ。
【請求項１９】
前記カメラは、前記第２の消去パッドが使用中の場合に、前記表示面を観察するようにさらに構成される、請求項１８に記載の消去アセンブリ。
【請求項２０】
前記カメラによって捕捉された１つまたはより多くの画像に基づいて、前記第１の消去パッドが使用中の場合に、前記表示面の座標系における前記消去アセンブリの位置の座標を決定するように構成された処理装置をさらに備える、請求項１８に記載の消去アセンブリ。
【請求項２１】
前記第１の消去パッドが、前記表示面に対して予め定められた角度より大きく傾けられているときに、前記表示面から前記第１の消去パッドを保護するように適合された第１の保護部をさらに備える、請求項１８に記載の消去アセンブリ。
【請求項２２】
前記第１の保護部は、前記第１の消去領域の外縁を含み、その外縁は前記第１の消去パッドの周囲を越えて伸延する、請求項２１に記載の消去アセンブリ。
【請求項２３】
前記第２の消去パッドが、前記表示面に対して予め定められた角度より大きく傾けられているときに、前記表示面から前記第２の消去パッドを保護するように適合された第２の保護部をさらに備える、請求項２１に記載の消去アセンブリ。
【請求項２４】
前記第１の消去パッドと通信する第１の接触スイッチをさらに備え、
前記第１の接触スイッチは、前記第１の消去パッドが、いつ表面に接触したかを検出するためのものである、請求項１８に記載の消去アセンブリ。
【請求項２５】
前記第２の消去パッドと通信する第２の接触スイッチをさらに備え、
前記第２の接触スイッチは、前記第２の消去パッドが、いつ表面に接触したかを検出するためのものである、請求項２４に記載の消去アセンブリ。
【請求項２６】
電子表示システムの表示面を消去するための消去アセンブリを製造する方法であって、
前記表示面は、ドットパターンを実現し、
前記方法は、
本体アセンブリを提供するステップと、
前記本体アセンブリに第１の消去パッドを固定するステップと、
前記本体アセンブリに第２の消去パッドを固定するステップとを備え、
前記第２の消去パッドは、前記第１の消去パッドが前記表示面に平行でかつ対向しているときに、前記表示面に対して鋭角に設定され、
前記方法は、
前記本体アセンブリに第１のカメラを結合するステップをさらに備え、
前記第１のカメラは、前記第１の消去パッドが使用中の場合に前記表示面を観察し、前記第２の消去パッドが使用中の場合に前記表示面を観察し、前記本体アセンブリの位置の指標を検出するように適合される、方法。
【請求項２７】
前記第１の消去パッドが、前記表示面に対して予め定められた角度を超えて傾けられているときに、前記第１の消去パッドが前記表示面に接触することから保護するように適合された保護部を提供するステップをさらに備える、請求項２６に記載の方法。
【請求項２８】
前記本体アセンブリと通信する傾斜検出システムを提供するステップをさらに備える、請求項２６に記載の方法。
【発明の詳細な説明】
【技術分野】
【０００１】
背景
本発明の様々な局面は消去アセンブリに関し、さらに、電子表示システムにための消去アセンブリに関する。
【背景技術】
【０００２】
どのようにペンが動かされたかを認識することによって、紙片のような表面上の手書きをデジタル化することが公知である。点のコーディング座標についての位置コーディングパターンが、表面に与えられる。ペンが表面上を動かされるときに、ペンの先端における位置コーディングパターンを局部的に記録するためのセンサが、ペンに設けられる。ペン内またはペンから離れたところに配置される処理ユニットは、検出装置によって検出されたパターンの位置を解析することによって、記録された位置コーディングパターンをデコードすることができる。結果として、表面上のペンの動きが、一連の座標として認識され得る。
【０００３】
たとえば、紙片上のドットパターンから、座標を認識する方法がある。６×６のドットの各組は、単一の座標を正確に定義する。検出装置を含んだペンは、そのドットを検出し、それによって、ペンが配置されている座標を計算する。たとえば、国際特許公開番号ＷＯ０１／２６０３２および米国特許番号７，２４９，７１６は、そのようなドットパターンを記載する。
【発明の概要】
【発明が解決しようとする課題】
【０００４】
従来型の電子ホワイトボードシステムは、現在はドットパターンを実行しない。
しかしながら、従来型の電子ホワイトボードシステムは、ペンまたはスタイラスのデジタルマーキングを消去するための消去器を備える。しかし、現在のところ、そのようなシステムの電子消去器は、多くの欠点を有する。
【０００５】
四角形の消去器が、従来型の非電子ホワイトボードのために設けられる。四角形の消去器は、ホワイトボード表面の平面において消去器がどのように向けられているかによって、ユーザが、１回の動作で、広い範囲（swath）またはより小さい部分を消すことができるようにできるので、有益である。
【０００６】
一方、電子ホワイトボードシステムは、一般的に円形の消去器を実装する。四角形の消去器は、有益であるが、電子ホワイトボードシステムに、消去器の位置とともにその方向を認識することを要求し、これは消去範囲がこれら両変数に依存するからである。それと対照的に、円は方向にかかわらず同じ範囲を覆うので、円形消去器の方向は無関係である。しかしながら、円形消去器を伴う電子ホワイトボードシステムのユーザは、１回の動作で消去される領域のサイズを変化させることはできないかもしれない。
【０００７】
標準的なホワイトボードシステムでは、ユーザはホワイトボード表面に対して消去器を傾けることができ、そのためゼロより大きい角度が、表面と消去パッドとの間に存在する。傾斜は、そうでない場合に消去され得る範囲よりも、さらに小さい範囲の消去をもたらし得る。しかしながら、多くの電子ホワイトボードでは、消去器の傾斜は、望ましくない効果を引き起こす。たとえば、ホワイトボードシステムは、消去が望まれていることを認識しないかもしれないし、消去器の位置、方向またはその両方を誤認識するかもしれない。
【課題を解決するための手段】
【０００８】
要約
本技術分野において、電子ホワイトボードシステムのような電子表示システムのための、改善された消去器が必要とされている。好ましくは、そのような改善された消去器は、ドットパターンのような位置コーディングパターンとともに実現され得る。
【０００９】
簡潔に説明すると、本発明様々な実施形態は、消去アセンブリ、および消去アセンブリを有する電子表示システムを含む。消去アセンブリは、消去のための、表示面の領域を示す。消去アセンブリは、本体アセンブリと、１つまたはより多くの消去パッドと、検出システムとを備える。
【００１０】
本体アセンブリは、第１の消去部および第２の消去部のような、１つまたはより多くの消去部を備え得る。消去部は、互いに結合可能である。
【００１１】
第１の消去パッドは第１の消去部に取り付けられ、第２の消去パッドは第２の消去部に取り付けられる。消去パッドは、消去パッド同士が互いに対して鈍角を生成するように、本体アセンブリに取り付けられる。
【００１２】
本体アセンブリは、ユーザが、消去パッドの表示面に対して傾けたり、角度を付けたりすることを防止するための、１つまたはより多くの保護部をさらに備えまたは搭載し得る。
【００１３】
検出システムは、本体アセンブリと通信するとともに、表示面に対する消去アセンブリの姿勢の印（indicia）を検出するように適合される。たとえば、限定ではないが、検出システムは、表示面上の位置コーディングパターンを検出するための検出装置を含み得る。単一の検出装置が、第１および第２の消去パッドを含む複数の消去パッドで用いられ得る。
【００１４】
本発明の、これらおよびその他の目的、特徴、ならびに利点は、添付の図面とともに以下の明細書を読むことによって明らかになるであろう。
【図面の簡単な説明】
【００１５】
【図１】本発明の例示的な実施形態に従う電子表示システムを示す図である。
【図２Ａ】本発明の例示的な実施形態に従う、消去アセンブリの側面部分断面図である。
【図２Ｂ】本発明の例示的な実施形態に従う、消去アセンブリの下面図である。
【図２Ｃ】本発明の例示的な実施形態に従う、消去アセンブリの正面図である。
【図３】本発明の例示的な実施形態に従う、単一の消去パッドを有する消去アセンブリの側面図である。
【図４Ａ】本発明の例示的な実施形態に従う、消去アセンブリの予め定められたしきい値傾斜角を示す図である。
【図４Ｂ】本発明の例示的な実施形態に従う、しきい値傾斜角を超える角度に傾けられた消去アセンブリの側面図である。
【図４Ｃ】本発明の例示的な実施形態に従う、しきい値傾斜角を超える角度に傾けられた消去アセンブリの側面図である。
【図５】本発明の例示的な実施形態に従う、保護部を有する消去パッドの側面図である。
【図６Ａ】本発明の例示的な実施形態に従う、消去アセンブリの検出装置によって捕捉されるような、さまざまなパターン画像を示す図である。
【図６Ｂ】本発明の例示的な実施形態に従う、消去アセンブリの検出装置によって捕捉されるような、さまざまなパターン画像を示す図である。
【図６Ｃ】本発明の例示的な実施形態に従う、消去アセンブリの検出装置によって捕捉されるような、さまざまなパターン画像を示す図である。
【図７Ａ】本発明の例示的な実施形態に従う、消去アセンブリの断面側面図である。
【図７Ｂ】本発明の例示的な実施形態に従う、消去アセンブリの下面図である。
【図８Ａ】本発明の例示的な実施形態に従う、消去アセンブリの改造実行例を示す図である。
【図８Ｂ】本発明の例示的な実施形態に従う、従来型消去器に結合された消去アセンブリの改造実行例を示す図である。
【図９】本発明の例示的な実施形態に従う、消去アセンブリの製造プロセスのフローチャートである。
【図１０】表示システムにおける消去アセンブリを用いる方法を示す図である。
【発明を実施するための形態】
【００１６】
詳細な説明
本発明の原理および特徴の理解を容易にするために、さまざまな例示的実施形態が以下に説明される。特に、本発明は、電子表示システムのための消去アセンブリとの関連において説明される。しかしながら、本発明の実施形態は、電子表示システムにおける使用には限定されない。むしろ、本発明の実施形態は、多くの電子筆記システムまたは電子描画システムにおける消去のために用いられ得る。
【００１７】
本発明のさまざまな要素として作り上げられるものとして以降で説明される構成要素は、例示を意図しており、限定を意図したものではない。本明細書で説明される要素と同じまたは類似の機能を実行する多くの適当な要素が、本発明の範囲内に包含されることが意図される。本明細書で説明されないそのような他の要素は、限定されないが、たとえば、本発明の開発後に開発された要素を含む。
【００１８】
本発明のさまざまな実施形態は、消去アセンブリと、消去アセンブリを有する電子表示システムとを含む。図面を参照して、同様の参照番号はその図を通して同じ部品を表わし、消去アセンブリおよび電子表示システムの実施形態の詳細が説明される。
【００１９】
図１は、消去アセンブリ１００を実現する電子表示システム５、たとえば、電子ホワイトボードシステムを示す図である。電子表示システム５は、電子表示ボードのような、表示面１５を有する電子表示装置１０を含む。電子表示システム５は、処理装置２０および投影機３０をさらに含む。
【００２０】
表示ボード１０は、処理装置２０に、動作可能に接続される。処理装置２０は表示ボード１０に統合された要素であってもよいし、あるいは、処理装置２０は外部要素でもあってもよい。好ましい処理装置は、パーソナルコンピュータのような演算装置２５を含む。
【００２１】
従来型の投影機のような投影システム３０は、処理装置２０からの画像を、表示面１５上に投影し得る。たとえば、限定ではないが、投影機３０は、ペンまたはスタイラス５０のような、デジタル筆記装置の使用を通して生成されるグラフィカルユーザインターフェースまたはマーキングを投影し得る。投影装置３０は、処理装置２０と通信し得る。そのような通信には、たとえば、有線接続またはブルートゥースのような無線接続、あるいは、２つの装置を通信できる他の手段が用いられる。しかしながら、表示装置１０がその表面１５上にマーキングまたはその他の物を内部的に表示することができる場合には、投影装置３０は、表示システム５から排除され得る。
【００２２】
スタイラス５０は、スタイラス５０によって示されるような、デジタルマーキングが表示面１５上に投影されるべきであることの信号を、処理装置２０へ伝送する。そのような信号は、有線接続、あるいは、８０２．１１ｂまたはブルートゥース接続のような無線接続によって、処理装置２０へ伝送される。さらに、スタイラス５０は、たとえば、ドライイレースインクまたは他の多くの除去可能なマーキング材料を用いて、表示面１５に物理的にマーキングするように適合され得る。表示面１５は、そのような物理マーキングを受容するように適合され得る。スタイラス５０の、これらのデジタルおよび物理的マーキングの両方は、印刷、記憶、共有、送信、または多くの他の目的のために、表示システム５によって適合され得る。
【００２３】
消去アセンブリ１００は、マーキングのような物体を、表示面１５から消去または削除し得る。物体が削除されると、そのような物体はもはや表示面上１５から見えなくなるが、処理装置２０のメモリ内には残されていてもよいしまたは残されなくてもよい。
【００２４】
消去アセンブリ１００は、スイッチまたはボタンのようなアクチュエータによって、あるいは、消去アセンブリ１００を表示面１５の近傍で持ち上げることによるなどの、多くの手段によって活性化され得る。活性化されている間、表示面上またはその近傍における消去アセンブリ１００の配置または移動は、物体が表示面１５から除去されるべきことを、処理装置２０へ示し得る。さらに、表示面１５が、スタイラス５０などからの除去可能なマーキングを受けるように適合されている場合は、消去アセンブリ１００は、同様に、そのようなマーキングを物理的に消去するように適合され得る。
【００２５】
図２Ａ〜図２Ｃは、それぞれ、消去アセンブリ１００の側面図、下面図、および正面図を示す。消去アセンブリ１００は、本体１１０と、１つまたはより多くの消去パッド１２０と、１つまたはより多くのパッド保護部１７０と、検出装置１３０とを備える。
【００２６】
本体アセンブリ
本体アセンブリ１１０は、消去アセンブリ１００のための支持部および骨格部として動作する。本体アセンブリ１１０は、限定されないが、プラスティック、金属、または木を含む、多くの材料で構成され得る。本体アセンブリ１１０の少なくとも一部は、ユーザが表示面１５に沿った消去を案内するために本体アセンブリ１１０を握ることができるように、剛体材料で構成され得る。さらに、本体アセンブリ１１０は、複数の部品で構成することもでき、または単一の分割されていない要素とすることもできる。図示されるように、本体アセンブリ１１０は、本体部１４０およびヘッド部１５０のような、１つまたはより多くの消去部１６０を含み得る。
【００２７】
本体部１４０または本体、およびヘッド部１５０またはヘッドは、各々消去部１６０として動作する。本体アセンブリ１１０内に設けられた各消去部１６０は、消去するための手段を提供し得る。さらに、各異なる消去部１６０は、消去のための異なる組のパラメータを表示システム５へ示す。たとえば、限定ではないが、ヘッド１５０は、本体１４０よりも小さい消去領域を示す。ヘッド１５０および本体１４０に加えて、さらなる消去部１６０を、消去アセンブリ１００内に設けることもできる。
【００２８】
本体１４０は、ハンドホールト゛１４１および電源部１４４を備え得る。
ハンドホールト゛１４１は、消去の際に、消去アセンブリ１００の固定および快適なハンドリングを可能にする。図２Ａに示されるように、本体１４０は、手持ち穴１４２を定義し、さらにユーザが手をそれに通して巻きつけることができるハンドホールト゛１４１を定義し得る。しかしながら、手持ち穴１４２は必ずしも必要とされない。たとえば、ハンドホールト゛１４１は、手持ち穴１４２に加えて、あるいは、それに代えて、グリップ１４３を備え得る。ハンドホールト゛１４１が設けられない場合は、必ずしも必要とされないが、本体１４０がユーザによる快適なハンドリングのための人間工学的形状を有することが好ましい。
【００２９】
本体１４０は、さらに、電源部１４４として用いるための第２の穴を定めるとともに、カバー１４５をさらに備え得る。電源部１４４は、１つまたはより多くの電池のような、消去アセンブリ１００の要素に電力供給するために用いられる電源を収納する。本体１４０の残余のものへ固定されると、カバー１４５が電源部１４４内の電源を覆い得る。さらに、固定されると、カバー１４５は、本体１４０の残りとともに概して平らな表面を形成し得る。それに加えて、またはそれに代えて、消去アセンブリ１００は、消去アセンブリ１００へ電力を供給するための電源へ配線され得る。
【００３０】
ヘッド１５０は、図示されるように、本体１４０の１つの端部から突出し得る。しかしながら、本体１４０から突出するヘッド１５０のように、消去部１６０間に明確な区分があることは必ずしも必要とされない。たとえば、限定ではないが、本体アセンブリ１１０は、異なる消去部１６０を表す多面体の各面を伴う多面体を備え得る。
【００３１】
消去パッド
上述のように、消去アセンブリ１００は、１つまたはより多くの消去パッド１２０をさらに備え得る。各消去パッド１２０は、従来型の非電子消去器において表示面１５に接触する、発泡体、パッド、または布材料に類似している。表示面１５がドライイレースマーかのような、物理的マーキングを受容するように適合され得るので、消去パッド１２０は、そのような物理的マーキングを消去するように適合され得る。したがって、消去パッド１２０は、従来型のホワイトボードで用いられるものに類似した材料で構成され得る。言い換えれば、１つまたはより多くの消去パッド１２０は、発泡体、パッド、布、または、物理的マーキングを除去することができる多くのほかの材料で構成され得る。さらに、１つまたはより多くの消去パッド１２０は、物理的マーキングを除去するために、洗浄液のような、水または化学物質で処理され得る。
【００３２】
代替的に、表示システム５が表示面１５上の物理的マーキングを受容するように適合されていない場合は、そのようなマーキングの物理的消去は必要とされない。この場合には、消去パッド１２０は、従来型の材料で構成される必要はないが、木またはプラスティックのような、多くの材料を備え得る。しかしながら、従来型の消去器の感じをまね、かつ同じような重さを維持するために、消去パッド１２０は、好ましくは、従来型の材料で構成される。
【００３３】
多くの消去パッド１２０が消去アセンブリ１００内に設けられ得るが、好ましくは、各消去部１６０について１つの消去パッド１２０が設けられる。各消去パッド１２０は、対応する消去部１６０と通信することができ、好ましくは、１つまたはより多くの接着剤、ネジ、釘などの手段によって、そのような消去部１６０に物理的に取り付けられる。
【００３４】
例示的に、消去パッド１２０は、表示面１５に接するとき、または十分に近接するときに使用中となる。ユーザは、表示面１５の十分近接した状態で、その対応する消去部１６０を動かすことによって、消去パッド１２０を使用することができる。消去パッド１２０が使用中になると、その消去パッド１２０により消去が生じ得る。消去される領域の大きさおよび形状は、使用中の消去パッド１２０の、一般的な大きさおよび形状に対応し得る。
【００３５】
本体消去パッド１２４およびヘッド消去パッド１２８の、２つの消去パッド１２０が設けられ得る。本体消去パッド１２４は、本体部１４０の本体パッド面１４６に取り付けられる。同様に、ヘッド消去パッド１２８は、ヘッド１５０のヘッドパッド面１５２に取り付けられ得る。
【００３６】
消去パッド１２０は、多くの形状およびサイズであり得る。好ましくは、設けられた消去パッド１２０は、サイズ、形状、またはその両方が異なる。図示されるように、ヘッド消去パッド１２８は、本体消去パッド１２４よりも小さい。このように、ユーザは、本体消去パッド１２４とヘッド消去パッド１２８との間を切換えることによって、消去の領域を変化させることができる。
【００３７】
あるいは、単一の消去パッド１２０が設けられ、１つより多くの消去部１６０に直接取り付けられ得る。図３は、この構成を図示する。好ましくは、消去パッド１２０の角度は、ある消去部１６０から隣接消去部１６０へ変化する。言い換えれば、単一の消去パッド１２０は、消去部１６０間で屈曲され得る。このように、隣接消去部１６０は、消去のために、同時に用いられないかもしれず、これは、１つだけがいかなるときにも表示面１５に十分に近接しているからである。
【００３８】
図２Ａ〜図２Ｃを再び参照して、ヘッド消去パッド１２８は、本体消去パッド１２４に対して多くの角度で設定され得る。たとえば、本体消去パッド１２４が表示面１５に対向しているとき、つまり、本体消去パッド１２４が概して表示面１５に平行なときには、表示面１５とヘッド消去パッド１２８との間の角度αは、鋭角である。好ましくは、αは、およそ１０度からおよそ８０度の範囲である。たとえば、１つの実施形態においては、αは、およそ２５度であり得る。２つの消去パッド１２４，１２８の使用を切換えるために、ユーザは、所望の消去パッド１２４または１２８に向けておよそαだけ、消去アセンブリを回転させることができる。
【００３９】
パッド保護部
パッド保護部１７０は、必要ではないが、各消去部１６０の一部として設けられる。全ての消去部１６０がパッド保護部１７０を有し、あるいは、全く有しない。または、１つまたはより多くの消去部１６０はパッド保護部１７０を備え得、一方１つまたはより多くの他の消去部１６０は備えない。
【００４０】
消去器の傾斜は、表示システム５については負の効果を生じ得る。パッド保護部１７０は、消去器の傾きを低減、または抑制するように適合される。この目的を達成するために、パッド保護部１７０は、消去アセンブリ１００が、不所望にも傾斜されたときに、消去パッドを表示面１５から妨げ、ブロックし、または保護し得る。妨害は、消去パッド１２０が表示面１５から少なくとも予め定められた角度離れて位置されるそのような角度まで傾斜されたときに生じる。消去は、パッド保護部１７０が消去パッド１２０を表示面１５に到達することから抑制するときに、特定の消去パッド１２０では生じ得ない。
【００４１】
図２Ａ〜図２Ｃに示されるように、本体１４は、本体パッド保護部１４８を備え、あるいは搭載し得る。本体パッド保護部１４８は、本体消去パッド１２４が表示面１５に対して予め定められたしきい値傾斜角βより大きく傾けられたときに、本体消去パッド１２４が表示面１５に接触することを抑制し得る。図４Ａは、本体消去パッド１２４に適用可能なしきい値傾斜角βを示す。図４Ｂは、角度βを超える本体消去パッド１２４の傾斜が生じたときの消去アセンブリ１００を示す図である。図示されるように、消去アセンブリ１００および本体消去部パッド１２４は、表示面１５に対して角度γだけ傾けられており、ここでγはβより大きい。図４Ｂに示されるように、本体１４０の消去パッド１２４は、表示面１５に接触していないか、あるいは十分には接近していない。このように、表示システム５は、表示面１５上のマーキングが消去または削除されるべきでないことを認識することができる。したがって、消去されるべき表示面の範囲を誤計算することのリスクが低減され得る。
【００４２】
図２Ａ〜図２Ｂを再び参照して、本体パッド面１４６は、本体消去パッド１２４よりも大きな周辺部を有し得る。このように、本体パッド面１４６の外縁１４７は、本体消去パッド１２４の周辺部の外側に張り出している。本体パッド保護部１４８は、この外縁１４７を備える。
【００４３】
同様に、ヘッド１５０はヘッドパッド保護部１５４を備え、または搭載し得る。ヘッドパッド保護部１５４は、ヘッド消去パッド１２８が表示面に対して予め定められたしきい値傾斜角θより大きく傾けられたときに、ヘッド消去パッド１２８が表示面１５に接触することを抑制し得る。図４Ａは、ヘッド消去パッド１２８に適用可能なしきい値傾斜角θを示す。図４Ｃは、角度θを超えるヘッド消去パッド１２８の傾斜が生じたときの消去アセンブリ１００を示す図である。図示されるように、消去アセンブリ１００およびヘッド消去部パッド１２８は、表示面１５に対して角度φだけ傾けられており、ここでφはθより大きい。図４Ｃに示されるように、ヘッド１５０の消去パッド１２８は、表示面１５に接触していないか、あるいは十分には接近していない。このように、表示システム５は、表示面１５上のマーキングが消去または削除されるべきでないことを認識することができる。したがって、消去されるべき表示面の範囲を誤計算することのリスクが低減され得る。
【００４４】
図２Ａ〜図２Ｂを再び参照して、ヘッドパッド面１５２は、ヘッド消去パッド１２８よりも大きな周辺部を有し得る。このように、ヘッドパッド面１５２の外縁１５５は、ヘッド消去パッド１２８の周辺部の外側に張り出している。ヘッドパッド保護部１５４は、この外縁１５５を備える。
【００４５】
代替的には、本体パッド保護部１４８またはヘッドパッド保護部１５４のようなパッド保護部１７０は、消去アセンブリ１００の好ましくない傾斜を防止するための、縁（lip）、カバー、または多くの他の物理的遮蔽を備え得る。たとえば、図５は、本体パッド保護部１４８およびヘッドパッド保護部１５４の突起実行例を示す図である。図５に示されるように、本体パッド保護部１４８およびヘッドパッド保護部１５４は、消去アセンブリ１００の好ましくない傾斜を妨害するための突起部１７５を備え得る。
【００４６】
図４Ａに示されるように、傾斜角βおよびθは、適用可能なパッド保護部１７０が消去パッド１２０の周辺部を超えて張り出す距離、および消去パッド１２０がパッド保護部１７０の下側に張り出す距離によって、定められ得る。消去パッド１２０は多くの厚みを有し、さらにパッド保護部１７０は多くの幅を有し得る。結果として、傾斜角βおよびθは消去部１６０間で変化し、さらに、消去パッド１２０の周辺部の周りで変化し得る。１つの実施形態においては、傾斜が最小化されるように、１つまたはより多くの結果として得られる傾斜角βおよびθが最小化される。
【００４７】
検出システム
図２Ａ〜図２Ｃを再び参照して、検出システム１３０は、本体アセンブリ１１０に結合され、かつ本体アセンブリ１１０と通信する。検出システム１３０は、表示面１５に対する消去アセンブリ１００の姿勢の印を検出するように適合された多くの実効例を有し得る。たとえば、検出システム１３０は、表示面１５から消去アセンブリ１００までの距離を示すデータを、表示面１５に対する消去アセンブリ１００の位置、方向、傾斜、またはそれらの組み合わせとともに検出し得る。
【００４８】
消去アセンブリ１００は、６つの潜在的動作の自由度（degree）を有する。表示面１５の二次元座標系においては、消去アセンブリ１００は、水平方向および鉛直方向へ動くことができる。消去アセンブリ１００は、また、表示面１５に垂直の方向にも動くことができるとともに、水平軸，鉛直軸、および垂直軸について回転することができる。これらの回転は、一般的に、それぞれ、消去アセンブリ１００のロール、ヨー、およびチルトと称される。検出システム１３０は、これらの６つの動作の自由度のすべて、またはそれらの多くの組み合わせを検出することができる。
【００４９】
本明細書で用いられる「傾斜（tipping）」の語句は、表示面１５に垂直の方向へ離れた消去アセンブリ１００の角度（angling）を称し、したがって、水平軸および鉛直軸についての回転、すなわち消去アセンブリ１００のロールおよびヨーを含む。一方、本明細書で用いられる「方向（orientation）」は、表示面１５の平面に平行な回転を称し、したがって、垂直軸についての回転、すなわち、消去アセンブリ１００のチルトのことを称する。
【００５０】
図示されるように、検出システム１３０は、第１の検出装置１３２と、第２の検出装置１３４と、第３の検出装置１３６とを含み得る。各検出装置１３２，１３４，１３６は、消去アセンブリ１００の姿勢の印を検出するように適合され得る。さらに、各検出装置１３２，１３４，１３６は、消去アセンブリ１００の姿勢を認識するためのデータを個々に検出し得、また、あるいは、他の検出装置のような他の要素と連動して、そのようなデータを検出し得る。
【００５１】
検出システム１３０によって検出されたデータの解析を容易にするために、消去アセンブリ１００は、さらに、内部処理ユニット１８０および通信装置１８５のいずれか、あるいはその両方を備え得る。内部処理ユニット１８０は、検出システム１３０によって検出されたデータを処理し得る。このような処理は、たとえば、表示面１５からの消去アセンブリ１００の距離、表示面１５の座標系における消去アセンブリ１００の姿勢、表示面１５に対する消去アセンブリ１００のロール，チルト，ヨー、および、これによって、消去アセンブリ１００の傾斜および方向の決定をもたらし得る。
【００５２】
通信装置１８５は、処理装置２０へデータを転送するとともに、処理装置２０からのデータを受容し得る。たとえば、検出されたデータの処理が、内部処理ユニット１８０に代わって、処理装置２０によって指示される場合は、通信装置１８５は、そのような処理のために、検出されたデータを処理装置２０へ転送し得る。
【００５３】
第１の検出装置１３２は、表示面１５の特性に基づいて消去アセンブリ１００の姿勢を検出するように適合された表示検出装置であり得る。表示検出装置１３２は、カメラのような捕捉装置であり、またはそれを備え得る。表示検出装置１３２は、ドットパターン、ドット行列位置コーディングパターン、または他のコーディング画像のような、表示面１５上のパターン２００（図６Ａ〜図６Ｃ参照）の部分を検出し得る。表示検出装置１３２のよる検出は、パターン２００の一部の観察、またはその画像の捕捉を含み得る。
【００５４】
表示検出装置１３２は、消去アセンブリ１００の本体アセンブリ１１０と通信することができるとともに、本体アセンブリ１１０に対して、多くの位置および方向を有し得る。たとえば、表示検出装置１３２は、図２Ａ〜図２Ｃに示されるように、ヘッド１５０上に配置、あるいはヘッド１５０内に収納され得る。さらに、表示検出装置１３２は、ヘッド１５０または本体１４０とも通信することができ、あるいは、本体１４０または他の消去部１６０上あるいは本体アセンブリ１００の一部に配置または収納され得る。
【００５５】
本体消去パッド１２４とヘッド消去パッド１２８との間への表示検出装置１３２の配置の結果として、図示されるように、表示検出装置１３２は、消去パッド１２４または１２８のどちらが使用中であるかにかかわらず、表示面１５を検出することができる。表示検出装置１３２は、表示検出装置１３２が位置コーディングパターンが観察できるように、ヘッド消去部１２８が使用されるときには概してまっすぐに、本体消去部１２４が使用されるときには概して角度をもって、ヘッド１５０の法線方向に向けられ得る。
【００５６】
先述のように、角度αは、好ましくは９０度より小さい。αが９０度以上の場合は、ヘッド１５０上の表示検出装置１３２が表示面１５上のパターン２００から離れた方向に向けられるので、表示検出装置１３２は、本体消去パッド１２８の使用中に表示面１５を検出することができないだろう。結果として、αが９０度以上の場合は、第２のカメラのような第２の表示検出装置１３８（図７Ａ〜図７Ｂ参照）が設けられ、本体消去パッド１２４の法線方向に向けられる。しかしながら、複雑性と経済的観点から、消去アセンブリ１００内に単一の表示検出装置１３２を設けることが望ましい。
【００５７】
第２の検出装置１３４および第３の検出装置１３６は、本体接触センサ１３４およびヘッド接触センサ１３６のような接触センサであり得る。本体接触センサ１３４およびヘッド接触センサ１３６は、本体１４０およびヘッド１５０が、いつ表示面１５のような表面と接触するかを、それぞれ検出する。本体接触センサ１３４は、本体消去パッド１２４と通信することができる。本体接触センサ１３４は、たとえば、限定ではないが、本体消去パッド１２４が予め定められた圧力で表面に接触したときに回路を閉成するスイッチを備え得る。同様に、ヘッド接触センサ１３６はヘッド消去パッド１２８通信することができるとともに、たとえば、ヘッド消去パッド１２８が表面に接触したときに回路を閉成するスイッチを備え得る。したがって、本体消去パッド１２４またはヘッド消去パッド１２８が表示面１５に接触するときに、表示システム５は、消去が指示されることを認識することができる。
【００５８】
さまざまな検出システムが、消去アセンブリ１００の姿勢を検出するために、消去アセンブリ１００内に設けられ得る。たとえば、傾斜検出システム１９０は、消去アセンブリ１００内に設けられて、消去アセンブリ１００が表示面１５に対して傾斜される角度および方向を検出する。方向検出システム１９２は、表示面１５の座標系における消去アセンブリ１００の回転を検出するために実行され得る。さらに、距離検出システム１９４が、表示面１５からの消去アセンブリ１００の距離を検出するために設けられ得る。
【００５９】
これらの検出（detection）システム１９０，１９２，１９４は、検出（sensing）システム１３０内に包含され得る。たとえば、表示面１５に対する消去アセンブリ１００の位置、傾斜、方向および距離は、表示検出装置１３２から観察されるような表示面１５上のパターン２００の外観の位置、ゆがみ、回転、および大きさによって、それぞれ認識され得る。内部処理ユニット１８０、処理装置２０、またはその両方は、パターン２００をデコードして消去アセンブリ１００の姿勢を認識するように構成され得る。
【００６０】
図６A〜図６Cは、表示面１５上の、例示的なドットパターン２００のさまざまな外観を示す図である。ドットパターン２００は、表示システム５における位置コーディングパターンとして機能する。
【００６１】
前述のように、消去範囲の認識は、表示面１５の座標系における消去アセンブリ１００の位置、消去アセンブリ１００の傾斜、および、非円形の消去パッド１２０の場合には、表示面１５の座標系における消去アセンブリ１００の方向を含む、多くの変数の計算を必要とし得る。これらの変数の全ては、表示検出装置１３２からのパターン２００の観察によって決定され得る。
【００６２】
図６Ａは、表示面１５の法線方向に角度をもって観察されたときの、ドットパターンと考えられるパターン２００の画像を示す図である。たとえば、ドットパターン２００は、ヘッド消去パッド１２８が使用中であり、表示検出装置１３２がヘッド１５０上に配置されかつヘッド消去パッド１２８の法線方向に向けられ、または回転されたときに、このように表示検出装置１３２から現れる。画像において、ドットパターン２００は、上部右方向に現れ、表示検出装置１３２から離れた角度をなしていない。表示検出装置１３２がこのような画像を捕らえたときは、表示システム５は、ヘッド消去パッド１２８が表示面１５に平行であり、かつ使用中であることを認識することができる。
【００６３】
消去アセンブリ１００が表示面１５から遠ざかって動くときは、捕捉された画像におけるドット間の距離が減少する。同様に、消去アセンブリ１００が表示面１５に向かって動くときは、ドット間の距離は増加するように現れる。このように、消去アセンブリ１００の傾斜および方向の検出に加えて、表示検出装置１３２は、表示面１５からの消去アセンブリ１００の距離を検出することができる。
【００６４】
図６Ｂは、ドットパターン２００の回転された画像を示す図である。回転されたドットパターン２００は、表示面１５の座標系において、消去アセンブリが表示面１５の垂直軸について回転されたことを示す。たとえば、捕捉された画像が、時計回りに３０度の角度回転されたドットパターンを示す場合は、それは、消去アセンブリ１００が反時計回りに３０度の角度だけ向けられたことが認識され得る。図６Ａの画像を用いた場合のように、この画像は、表示面１５の法線方向に向けられた表示検出装置１３２で得られ、たとえ消去アセンブリ１００は回転されたとしても、ヘッド消去パッド１２８は使用中のままとなる。
【００６５】
図６Ｃは、本体消去パッド１２４が使用中の場合が観察されたときの、ドットパターン２００の画像を示す図である。表示検出装置１３２から離れた角度のドットを示す扁平な画像は、表示検出装置１３２が表示面１５の法線方向には向けられていないことを示す。さらに、ドットパターン２００の回転は、消去アセンブリ１００がその上回転されていることを示す。その画像は、方向の角度とともに、傾斜角および傾斜方向を認識するために解析され得る。たとえば、消去アセンブリ１００が、下方向に４５度傾斜されかつ２５度回転されていると認識され得る。これらの変数は、消去されるべき領域を決定する。傾斜がおよそα度傾斜され（図２Ａ参照）かつ本体１４０の方向へほぼ直接的に向いていると認識される場合は、本体消去パッド１２４は表示面１５に平行であり、おそらく使用中である。
【００６６】
しかしながら、計算された傾斜角および傾斜方向が、本体消去パッド１２４およびヘッド消去パッド１２８の範囲外である場合には、消去アセンブリ１００は、いずれの消去パッド１２４，１２８も表示面１５に対向しておらず、かつ、とうてい平行ではないように、表示面１５から離れて傾斜されていると認識し得る。これは、ユーザの、消去パッド１２０の角を用いた消去の試みから生じるであろう。傾斜角および傾斜方向は、使用中の消去パッド１２０が、表示面１５に対して角度を有しているか否か、および何度の角度を有しているか、したがって、どの領域が消去されるかを認識するために用いられ得る。いくつかの実施形態においては、傾斜は許されず、したがって、バイブレータ、ブザー、閃光、あるいは、表示システム５から放射される他の音または信号を通して、エラーとしてユーザに示される。追加的または代替的に、消去アセンブリ１００が好ましくないほど傾斜されている間消去が生じないように、消去アセンブリ１００は、傾斜の間一時的に非活性化され得る。
【００６７】
したがって、表示検出装置１３２によって捕捉された画像を解析することによって、表示システム５は、消去を生じさせるべきか否か、および、もし消去させる場合は、どの消去パッド１２０を、どの距離および方向で使用するかを認識し得る。表示システム５は、その後、それにしたがって応答し得る。
【００６８】
図７Ａは、消去アセンブリ１００の他の実施形態の側面段面図を示し、図７Ｂは消去アセンブリ１００の下面図を示す。
【００６９】
本体消去パッド１２４およびヘッド消去パッド１２８を含む消去パッド１２０は、多くの厚みであり得る。図７Ａ〜図７Ｂに図示されるように、本体消去パッド１２４およびヘッド消去パッド１２８のような消去パッド１２０は、対応する消去部１６０内に内蔵され得る。
【００７０】
本体１４０は、本体消去パッド１２４を受けるための切欠部（cutout）１４９を備え得る。本体消去パッド１２４が固定される本体パッド表面１４６は、切欠部１４９の側面であり得る。したがって、本体消去パッド１２４は、本体１４０の内部に配置され得る。本体パッド保護部１４８は、本体消去パッド１２４を囲む、本体１４０の外縁を備え得る。もし設けられる場合は、第２の表示検出装置１３８は、図示されるように、本体消去パッド１２４内に内蔵、または配置され得る。
【００７１】
同様に、ヘッド１５０は、ヘッド消去パッド１２８を受けるための切欠部１５６を備え得る。ヘッド消去パッド１２８が固定されるヘッドパッド表面１５２は、切欠部１５６の側面であり得る。したがって、ヘッド消去パッド１２８は、ヘッド１５０の内部に配置され得る。ヘッドパッド保護部１５４は、ヘッド消去パッド１２８を囲む、ヘッド１５０の外縁を備え得る。表示検出装置１３２は、図示されるように、ヘッド消去パッド１２８内に内蔵、または配置され得る。
【００７２】
さらに、ブリッジ１１５が、本体１４０およびヘッド１５０を結合および接続するために、本体アセンブリ１１０内に設けられ得る。
【００７３】
消去アセンブリ１００は、消去パッド１２０の代わりに従来型の消去器を利用するように適合され、それによって、従来型の消去器３００を改造することができる。図８Ａ〜図８Ｂは、消去アセンブリ１００の改造実行例を示す図である。図８Ａは、消去アセンブリ１００および分離された従来型の消去器３００を示す図であり、一方図８Ｂは、従来型の消去器３００に固定された消去アセンブリ１００を示す図である。
【００７４】
図８Ａ〜図８Ｂに示されるように、本体消去パッド１２４は、消去アセンブリ１００内に設けられる必要はない。固定要素１９５が、消去アセンブリ１００内に設けられ、従来型の消去器３００を消去アセンブリ１００の本体パッド表面１４６に固定し得る。１つの実施形態においては、固定要素１９５は、本体アセンブリ１１０上、具体的には本体パッド表面１４６上に配置される。固定要素１９５は、１つまたはより多くの接着剤、ベルクロ（Velcro）（登録商標）、ねじ、釘、ピン、磁石などを含み得、消去アセンブリ１００を従来型の消去器３００に固定し得る。したがって、従来型の消去器３００は、表示システム５と相互作用するように、そして表示面１５上で用いられる用に適合される。
【００７５】
本体１４０の大きさは、少なくとも標準サイズの従来型の消去器３００に合うように適合され得る。さまざまな高さの従来型の消去器３００の適合を用意するために、本体パッド保護部１４８は、より短い従来型の消去器３００に対応するように調整され得る。たとえば、限定ではないが、本体パッド保護部１４８は、本体パッド保護部１４８が表示面１５に対して押し付けられたときに、それによって、本体パッド保護部１４８が従来型の消去器３００を表示面１５に接触させることができるように、発泡体のような収縮性材料で構成され得る。発泡体パッド保護部１７０は、傾斜をある程度低減するが、発泡体材料は、パッド保護部１７０を、剛性材料で構成されたパッド保護部１７０よりも少ない効果にさせ得る。
【００７６】
図９は、消去アセンブリの製造プロセス４００のフロー図を示す。図９における各ボックスは、全体の製造プロセスのサブプロセスを表わす。当業者は、図９に示されたサブプロセスは、図示された順序で実行される必要はなく、１つまたはより多くのサブプロセスが他のサブプロセスに分割され得ることを理解するであろう。さらに、サブプロセスの全てが、製造プロセスの全ての実施形態について実行される必要はなく、さらなるサブプロセスが設けられ得る。
【００７７】
例示的な実施形態においては、製造プロセス４００は、４１０にて、本体アセンブリ１１０を提供することを備える。本体アセンブリ１１０は、１つまたはより多くの消去部１６０を備え得る。
【００７８】
４２０にて、第１の消去パッド１２０が本体アセンブリ１１０に固定される。第１の消去パッド１２０は、１つまたはより多くの消去部１６０へ固定され得る。さらに、他の消去パッド１２０が提供され、そして、本体アセンブリ１１０の消去部１６０に固定され得る。好ましくは、各消去パッド１２０は、単一の消去部１６０に固定される。
【００７９】
４３０にて、検出システム１３０が、本体アセンブリ１１０に結合され得る。検出システム１３０は、カメラのような表示検出装置１３２を備え、それは、本体アセンブリ１１０の消去部１６０内に収納され得る。
【００８０】
さらに、１つまたはより多くのパッド保護部１７０が、１つまたはより多くの消去パッド１２０の周囲に提供され得る。そして、第２のカメラのような、第２の表示検出装置１３８が、第２の消去部１６０内に提供され得る。
【００８１】
図１０は、表示システム５における消去アセンブリ１００を用いる方法を示す図である。ある瞬間において、表示面１５は処理装置２０から通信された画像を表示する。投影機３０が提供される場合は、そのような画像は処理装置２０から投影機３０へ通信され、そして、投影機３０によって表示面１５上に投影され得る。画像は、スタイラス５０によって生成されたデジタルマーキングを含み、表示面１５は、スタイラス５０によって生成される物理的マーキングをさらに含み得る。表示面１５上の画像およびマーキングは、電子媒体に保存され、電子メールで送信され、ウェブに投稿され、あるいは、いろいろな方法で保管（archive）され、そして、さらなる編集のために呼び戻されもし得る。
【００８２】
例示的な実施形態においては、ユーザ９０は、消去アセンブリ１００の一部を表示面１５に十分に近接させて持ち上げることによって、または、消去アセンブリ１００の一部を表示面１５に接触させて配置することによって、消去を起動することができる。表示面１５のある範囲を消去するために、ユーザ９０は、表示面１５に沿って消去アセンブリ１００を動かせばよい。この動作は、表示面１５上の物理的マーキングを物理的除去、および表示システム５を通して、デジタルマーキングの除去ももたらし得る。
【００８３】
消去アセンブリ１００が表示面１５に沿って移動するとき、検出システム１３０は、周期的に、表示面１５に対する消去アセンブリ１００の姿勢変化の印を検出する。これらの印は、表示システム５によって処理される。１つの実施形態においては、消去アセンブリ１００の内部処理ユニット１８０がこのデータを処理する。他の実施形態においては、そのデータは、消去アセンブリ１００の通信装置１８５によって処理装置２０へ転送され、データは処理装置２０によって処理される。そのようなデータの処理は、消去アセンブリ１００の位置、方向、傾斜、またはそれらの組み合わせの認識をもたらし、それによって、消去されるべき領域の認識がもたらされ得る。消去アセンブリ１００の内部処理ユニット１８０において処理が行なわれる場合は、その結果は、通信装置１８５によって処理装置２０へ転送される。
【００８４】
関連する変数の決定に基づいて、処理装置２０は、表示面１５上に表示されるべき修正された画像を生成する。修正された画像は、消去された範囲内に以前に表示されていた一群のマーキングを排除し得る。そして、表示面１５はリフレッシュされ、それは処理装置２０が、修正された画像を任意的な投影機３０へ通信することを含み得る。これによって、消去アセンブリ１００によって示されたデジタルマーキングが表示システム５を通して消去され得る。１つの実施形態においては、これはリアルタイムに生じる。
【００８５】
上述から、本発明が多くの異なる消去アセンブリ１００を提供することが理解されえる。
【００８６】
たとえば、消去アセンブリ１００は、付属の消去パッド１２０を伴う消去部１６０と、消去アセンブリ１００の姿勢の印を検出するための検出システム１３０とを備え得る。
【００８７】
消去アセンブリ１００は、付属の消去パッド１２０を伴う消去部１６０と、消去アセンブリ１００の傾斜を低減するためのパッド保護部１７０とを備え得る。
【００８８】
消去アセンブリ１００は、付属の消去パッド１２０を伴う消去部１６０と、検出システム１３０と、パッド保護部１７０とを備え得る。
【００８９】
消去アセンブリ１００は、表示面１５に対する消去アセンブリ１００の傾斜を検出するための傾斜検出システム１９０を伴う消去部１６０を備え得る。
【００９０】
消去アセンブリ１００は、本体１４０のような第１の消去部１６０と、ヘッド１５０のような第２の消去部１６０とを備え得る。各消去部１６０は、付属の消去パッド１２０を有するか、または単一の消去パッド１２０が両方の消去部１６０に取り付けられ得る。さらに、ヘッド１５０のような、少なくとも１つの消去部１６０が、検出システム１３０と通信し得る。
【００９１】
消去アセンブリ１００は、本体１４０のような第１の消去部１６０と、ヘッド１５０のような第２の消去部１６０とを、１つまたはより多くの消去パッド１２０とともに備え得る。さらに、本体１４０のような少なくとも１つの消去部１６０は、パッド保護部１７０を含み得る。
【００９２】
消去アセンブリ１００は、本明細書で開示された特定の実施形態に限定される必要はない。つまり、消去アセンブリ１００は、これらの特徴の多くの組み合わせを含み得、さらなる特徴をも実現し得る。
【００９３】
本明細書で説明された概念は、これらの例示的な実施形態に限定される必要はない。消去アセンブリ１００が、その精神または本質的な特性から逸脱することなく、他の特定の形態で具現化され得ることが、当業者に理解されるだろう。
【００９４】
したがって、ここで開示された実施形態は、すべての事項が例示的であって限定的ではないと考えられる。消去アセンブリ１００の範囲は、上記の説明というよりはむしろ、添付の特許請求の範囲によって示され、均等の意味および範囲内となる全ての変形がその中に包含されることが意図される。
【図１】
0005474950.tif 000002
【図２Ａ】
0005474950.tif 000003
【図２Ｂ】
0005474950.tif 000004
【図２Ｃ】
0005474950.tif 000005
【図３】
0005474950.tif 000006
【図４Ａ】
0005474950.tif 000007
【図４Ｂ】
0005474950.tif 000008
【図４Ｃ】
0005474950.tif 000009
【図５】
0005474950.tif 000010
【図６Ａ】
0005474950.tif 000011
【図６Ｂ】
0005474950.tif 000012
【図６Ｃ】
0005474950.tif 000013
【図７Ａ】
0005474950.tif 000014
【図７Ｂ】
0005474950.tif 000015
【図８Ａ】
0005474950.tif 000016
【図８Ｂ】
0005474950.tif 000017
【図９】
0005474950.tif 000018
【図１０】
0005474950.tif 000019